(57)【要約】【課題】従来技術では、ラップフィルムの切断後、容器に残ったラップフィルムの先端部は、蓋体の前面壁と容器本体の前面壁との間にあり、容器本体の前面壁に密着してしまうことがあり、ラップフィルム先端部が摘み難く、容器本体から引き出すことが容易でなく難しかった。【解決手段】ラップフィルム収納容器において、容器本体の前面壁の表面であって、蓋体が閉蓋状態において、蓋体の前面壁の裏面が、容器本体の前面壁の表面と重なり合い、蓋体の前面壁の先端縁部の裏面に、ラップフィルムを切断するためのカッターが取り付けられ、更に、蓋体は、カッターよりも先端側に延出したベロ部が設けられていて、ベロ部は、ラップフィルムを接着及び剥離が可能な接着剤を、ベロ部の裏面側に塗布したことを特徴とするラップフィルム収納容器である。【選択図】図１
2018104022.tif 000002
【特許請求の範囲】
【請求項１】
ロール状に巻かれているラップフィルムを収納する容器本体と、該容器本体の後面壁の頂縁から回動可能に連設されている蓋体とを備えるラップフィルム収納容器において、
前記蓋体が閉蓋状態において、前記蓋体の前面壁の裏面が、前記容器本体の前面壁の表面と重なり合うように構成されており、
前記蓋体の前面壁の先端縁部に、ラップフィルムを切断するためのカッターが取り付けられ、
更に、前記蓋体は、前記カッターよりも先端側に延出したベロ部が設けられていて、
前記ベロ部は、前記ラップフィルムを接着及び剥離が可能な接着剤を、前記ベロ部の裏面側に塗布したことを特徴とするラップフィルム収納容器。
【請求項２】
請求項１に記載のラップフィルム収納容器において、使用開始前にあっては、前記カッターの刃が露出するのを防ぐために開封片が備わっており、前記開封片は、前記蓋体の前面壁の先端縁部と前記ベロ部が隣接して連設されており、使用時には、前記開封片が除去されるように構成されていることを特徴とするラップフィルム収納容器。
【発明の詳細な説明】
【技術分野】
【０００１】
本発明は、ロール状に巻かれたラップフィルムを収納する容器に関するものである。
【背景技術】
【０００２】
従来においては、種々の型式のラップフィルムを収納する容器が知られているが、その多くは厚紙製で、ロール状に巻かれたラップフィルムを収納する容器本体と、この容器本体に一体的に設けられた蓋体とから構成されている。また、一般に、容器から引き出されたラップフィルムを切断するためのカッターが蓋体の前面壁の裏面に取り付けられている。
【０００３】
これらの容器を使用する場合、蓋体を持ち上げてラップフィルムの先端部を露出させて、フィルム先端部を指で摘んで引き出した後、蓋体を閉じ、カッターにより引き出したラップフィルムを切断するのである。
【０００４】
カッターにより、ラップフィルムの切断後、容器に残ったラップフィルムの先端部は、蓋体の前面壁と容器本体の前面壁との間にあり、このラップフィルム先端部は、容器本体の前面壁に密着してしまうことがあり、ラップフィルム先端部が摘み難く、容器本体から引き出すことが容易でなく難しかった。
【０００５】
【特許文献１】特許４２３１５８１
【発明の概要】
【発明が解決しようとする課題】
【０００６】
ラップフィルムを収納する容器は厚紙で形成され、その表面には、光沢を出すためにニスなどが塗布されている。このため、容器本体の前面壁の表面は平滑な面となっており、ラップフィルム先端部全体が容器本体の前面壁に密着した状態となることがあり、ラップフィルムフィルム先端部が容器本体に密着したときには、ラップフィルム先端部を指で摘むことが困難となり、ラップフィルムの引出しに手間がかかるという問題があった。
【０００７】
特許文献１においては、容器本体の面壁の表面で、閉蓋状態において蓋体の前面壁が重なる部分に、ラップフィルムを剥離可能に保持することのできる第１の粘着層を設け、蓋体の前面壁の裏面に、ラップフィルムを剥離可能に保持することのでき且つ、第１の粘着層よりも粘着力が強い第２の粘着層を設け、開蓋時に、蓋体の移動に伴ってラップフィルムの先端部を前記容器本体の前面壁から浮き上がらせるようにしたことを特徴とするラップフィルム収納容器であり、開蓋操作のみでラップフィルムの先端部、すなわち指で摘む部分を容器本体から浮き上がらせることで、ラップフィルムの引出しを行うが、蓋体の前面壁の裏面の第２の粘着層は、蓋体の前面壁の先端縁部にあるラップフィルム切断用のカッターより手前、すなわち、ロール状に巻かれているラップフィルム側にあるため、ラップフィルムの引出しを行う場合、開蓋操作をして、ラップフィルムの裏面を指で摘むしかなく、摘まみにくく、また、ラップフィルムを摘まむためには、蓋体の前面壁縁部が、容器本体の前面壁縁部より大きく開けなけなければならず、第２の粘着層があるため、第２の粘着層がラップフィルムから剥離しないと、ラップフィルムの先端縁部が、ラップフィルム切断用のカッターより前方に行かないので、ラップフィルムを引出すのに引出しにくく、手間がかかるいという疑問があった。
【課題を解決するための手段】
【０００８】
本発明は、ロール状に巻かれたラップフィルムを収納している容器から、簡単にラップフィルム取り出すという課題を解決するためのラップフィルム収納容器であって、下記のことが考え出させられる。
【０００９】
請求項１に記載した発明は、ロール状に巻かれているラップフィルムを収納する容器本体と、容器本体の後面壁の頂縁から回動可能に連設されている蓋体とを備えるラップフィルム収納容器において、蓋体が閉蓋状態において、蓋体の前面壁の裏面が、容器本体の前面壁の表面と重なり合うように構成されており、蓋体の前面壁の先端縁部に、ラップフィルムを切断するためのカッターが取り付けられ、更に、蓋体は、前記カッターよりも先端側に延出したベロ部が設けられていて、ベロ部は、ラップフィルムを接着及び剥離が可能な接着剤を、ベロ部の裏面側に塗布したことを特徴とするラップフィルム収納容器である。
【００１０】
請求項２に記載した発明は、請求項１に記載のラップフィルム収納容器において、使用開始前にあっては、カッターの刃が露出するのを防ぐために開封片が備わっており、開封片は、蓋体の前面壁の先端縁部と前記ベロ部が隣接して連設されており、使用時には、開封片が除去されるように構成されていることを特徴とするラップフィルム収納容器である。
【００１１】
上記構成により、ラップフィルムをカッターで切断した後、ラップフィルムの引出し操作をする場合は、少し開蓋した時に、蓋体の前面壁にカッターよりも先端側に延出しベロ部の裏面側に接着剤を塗布したベロ部を、指でラップフィルム面に押さえて離すことで、ラップフィルムがベロ部に接着し、容器本体の前面壁から浮き上がらせることができ、浮き上がったベロ部外の蓋体の先端部からはみ出たラップフィルムを、指で摘まんで引出すことで、ベロ部に接着しているラップフィルムがベロ部から離れ、ラップフィルムの引出しを容易に行うことができる。
【００１２】
容器本体は、厚紙、コートボール紙などの紙素材が使用されている。
【００１３】
ロール状に巻かれたラップフィルムは、透明なラップフィルムであるが、多層フィルム、アルミホイル、調理用紙シート等でもよい。
【００１４】
ラップフィルムは、容器本体の前面壁の表面の平滑性によりラップフィルムが密着する
ことがあるため、ラップフィルムを指で容器本体の前面壁から摘まみ出しにくい。
【００１５】
カッターの形状は、一直線状でのカッターであるが、Ｖ字状カッターでも使用が可能である。
【００１６】
ベロ部は、蓋体にカッターよりも先端側に延出した所にベロ部が設けられて、ラップフィルムに接着及び剥離が可能な接着剤をベロ部の裏面側に塗布し、閉蓋状態から少し開けた位置で、指でベロ部をラップフィルムに押しあて、ベロ部にラップフィルムを接着させ、更に、蓋体を開けると、ラップフィルムが接着していることで、容器本体の前面壁から浮き上がった状態となり、蓋体の先端部からはみ出たベロ部外のラップフィルムを、指で摘まんで引出すことで、ラップフィルムの引出しを容易に行うことができる。
【００１７】
閉蓋状態から少し開けた位置とは、閉蓋状態から５ｍｍから１５ｍｍ開けた範囲であるが、
ベロ部がラップフィルムに接着できる範囲であればよい。
【００１８】
指でベロ部をラップフィルムに押しあては、厚紙、コートボール紙などの紙素材で来ている蓋体の前面壁やベロ部を、紙素材の弾力性や屈曲性を利用して、閉蓋状態から少し開けた位置で、ベロ部を容器本体の前面壁に押しあてることで、ベロ部を容器本体の前面壁面にあるラップフィルムに、ベロ部の裏面側に塗布した接着剤で接着することができ、指をベロ部から離すと、紙素材の弾力性や復元性と更に少し開蓋することで、ベロ部に接着しているラップフィルムが、容器本体の前面壁から離れ、ラップフィルムが容器本体の前面壁から離すことができる。これにより、浮き上がったベロ部外の蓋体の先端部からはみ出たラップフィルムを指で摘まんで引出すことができる。
【００１９】
ベロ部の枚数は、１枚、２枚、３枚と複数枚でもよく、好ましくは、１枚、２枚である。ベロ部の幅は、５ｍｍから可能であるが、好ましくは、７ｍｍから２０ｍｍの範囲である。ベロ部の長さは、閉蓋状態において、カッター先端側から容器本体の前面壁の角までの長さ迄の範囲である。
【００２０】
接着剤は、ラップフィルムを接着及び剥離が可能な接着剤であり、ベロ部の裏面側に塗布する。
【００２１】
開封片は、使用開始前にあっては、蓋体の前面壁に開封片がミシン目などを介して連設されており、容器本体の前面壁の表面に接着され、この開封片により容器の封緘がなされ、カッターの刃が露出するのを防いでいる。また、使用時には、開封片は除去される。更に、
ミシン目は、ミシン目外の形状でもよく、使用時には、開封片が除去されればよい。
【発明の効果】
【００２２】
以上のように、本願発明のベロ部は、特許文献１の収納容器の粘着層の位置と異なっており、本発明によれば、ラップフィルム収納容器の蓋体を少し開蓋した時に、容器本体の前面壁の表面に密着したラップフィルムの先端部分に、蓋体の前面壁にカッターよりも先端側に延出したベロ部を、指でラップフィルム面に押さえて離すことで、ラップフィルムが、ベロ部に接着し容器本体の前面壁から浮き上がらせることができ、浮き上がったラップフィルムの先端縁部を指で摘まんで引出すことで、ラップフィルムの引出しを容易に行うことが可能となる。
【図面の簡単な説明】
【００２３】
【図１】本発明に係るラップフィルム収納容器の斜視図であり、開蓋状態を示す図である。
【図２】本発明に係る図１の容器の使用開始前で、開封片が備わった閉蓋状態を示す斜視図である。
【図３】本発明に係る蓋体のベロ部が含む部分でラップフィルムを切断した時のベロ部とラップフィルムの関係を示す端面図である。
【図４】本発明に係る蓋体のベロ部が含む部分で蓋体を少し開蓋した時のベロ部とラップフィルムの関係を示す端面図である。
【図５】本発明に係る蓋体のベロ部が含む部分でベロ部がラップフィルムに接着した時のベロ部とラップフィルムの関係を示す端面図である。
【図６】本発明に係る蓋体のベロ部が含む部分でベロ部を指から離した時のベロ部とラップフィルムの関係を示す端面図である。
【図７】本発明に係る蓋体のベロ部が含む部分でラップフィルムを切断した時の容器本体の前面壁と蓋体の前面壁の関係を示す端面図である。
【発明を実施するための形態】
【００２４】
以下、本発明であるラップフィルム収納容器を図面について説明する。
【００２５】
図１は、本発明に係るラップフィルム収納容器１の斜視図で、開蓋状態を示す図であり、図１のラップフィルム収納容器１は、１枚の厚紙、あるいは、コートボール紙から作られており、筒状の紙管１４にロール状に巻き付けられたラップフィルム１５を収納するための容器本体１１と、この容器本体１１に一体的に連設された蓋体２１とから構成されている。閉蓋状態のラップフィルム収納容器１の全体形状は、略直方体形状をなしている。
【００２６】
容器本体１１の上部は、ラップフィルム１５を引き出すための開口部として開放されている。また、蓋体２１は、容器本体の後面壁１３の頂縁から連続して延び、容器本体１１に対して回動可能であり、容器本体１１の開口部を覆うことができるよう構成されている。蓋体の前面壁２２の裏面には、引き出されたラップフィルム１５を切断するための鋸刃状のカッター２４が取り付けられている。図示の実施形態においては、蓋体の前面壁２２の先端縁は一直線状をなし、その形状に合わせてカッター２４も一直線状のものが用いられている。
【００２７】
ベロ部２３は、閉蓋状態において、カッター２４の刃先よりも下方にあり、ベロ部２３の数や大きさ、位置等については、以下で述べる作用効果を奏する限り適宜定めることができるが、図示の実施形態では、蓋体の前面壁２２の中央部である。ベロ部２３の裏面には接着及び剥離が可能な接着剤を塗布した粘着層２６が形成されている。
【００２８】
図２は、本発明に係る図１のラップフィルム収納容器１の使用開始前で、開封片２５が備わった閉蓋状態を示す斜視図であり、使用開始前にあっては、蓋体の前面壁２２には開封片２５がミシン目２７を介して連設されており、容器本体の前面壁１２の表面に接着されている。この開封片２５によりラップフィルム収納容器１の封緘がなされ、カッター２４の刃（隠れている）が露出するのを防いでいる。使用時、開封片２５は除去される。なお、ベロ部２３が１枚なら開封片２５は２枚となる。
【００２９】
ラップフィルム１５を切断後から引き出しできるまでのラップフィルム収納容器１の状態について、図３から図６で説明する。
操作は、図３から順に図６までである。
図３は、本発明に係る蓋体２１のベロ部２３が含む部分でラップフィルム１５を切断した時のベロ部２３とラップフィルム１５の関係を示す端面図であり、ラップフィルム１５を引き出す前の状態で、ラップフィルム１５が切断された直後の状態であり、ラップフィルム１５の先端部は容器本体の前面壁１２と蓋体の前面壁２２との間に配置され、且つ、保持されている。これは、ラップフィルム１５を切断する際、蓋体の前面壁２２の面を指で押さえ付けるため、ラップフィルム１５が容器本体の前面壁１２と蓋体の前面壁２２との間で挟まれている状態である。
【００３０】
図４は、本発明に係る蓋体２１のベロ部２３が含む部分で蓋体２１を少し開蓋した時のベロ部２３とラップフィルム１５の関係を示す端面図であり、図３の状態から、蓋体２１の回動の初期段階、即ち、閉蓋状態から少し開けた位置で、閉蓋状態から５ｍｍから１５ｍｍ開けた範囲で、蓋体２１を持ち上げても、ラップフィルム１５の先端部は、容器本体の前面壁１２の表面の平滑性や静電気により、ラップフィルムが、容器本体の前面壁１２に残り密着している状態である。
【００３１】
閉蓋状態から少し開けた位置で、閉蓋状態から５ｍｍから１５ｍｍ開けた範囲と記述しているが、ベロ部２３がラップフィルム１５に接着できる範囲であればよい。
【００３２】
図５は、本発明に係る蓋体２１のベロ部２３が含む部分でベロ部２３がラップフィルム１５に接着した時のベロ部２３とラップフィルム１５の関係を示す端面図であり、図４の状態から、ベロ部２３を、指でラップフィルム１５に向かって、ラップフィルム１５に押しあてることで、ベロ部２３の裏面側に接着及び剥離が可能な接着剤を塗布した接着層２６が、ラップフィルム１５に接着した状態である。
【００３３】
指でベロ部２３をラップフィルム１５に押しあては、蓋体の前面壁２２やベロ部２３が、厚紙  コートボール紙などの紙素材で来ているため、紙素材の弾力性や屈曲性を利用して蓋体の前面壁２２やベロ部２３の変形を利用している。変形が可能であれば、プラスチックでもよい。
【００３４】
ベロ部２３の枚数は、１枚、２枚、３枚と複数枚でもよく、好ましくは、１枚、２枚である。ベロ部２３の幅は、５ｍｍから可能であるが、好ましくは、７ｍｍから２０ｍｍの範囲であり、それ以上でもよい。ベロ部２３の長さは、閉蓋状態において、カッター先端側から容器本体の前面壁１２の角までの長さ迄の範囲である。
【００３５】
図６は、本発明に係る蓋体２１のベロ部２３が含む部分でベロ部２３を指から離した時のベロ部２３とラップフィルム１５の関係を示す端面図であり、図５の状態から、指をラップフィルム１５に押しあてているベロ部２３から離すと、紙素材の弾力性や復元性で、ベロ部２３の接着層２６に接着しているラップフィルム１５が、紙素材の弾力性や復元性で、容器本体の前面壁１２から離れベロ部２３に接着した状態である。
【００３６】
ラップフィルム１５の引出し操作をする場合は、少し開蓋した時に、蓋体の前面壁２２にカッター２４よりも先端側に延出し、ベロ部２３の裏面側に接着剤を塗布した接着層２６があるベロ部２３を、指でラップフィルム１５に押さえて離すことで、ラップフィルム１５がベロ部２３に接着し、容器本体の前面壁１２から浮き上がらせることができ、浮き上がったベロ部２３外の蓋体２１の先端部からはみ出たラップフィルム１５を、指で摘まんで引出すことで、ベロ部２３に接着しているラップフィルム１５がベロ部２３から離れ、ラップフィルム１５の引出しを容易に行うことが可能となる。1
【００３７】
図７は、本発明に係る蓋体２１のベロ部２３が含む部分でラップフィルム１５を切断した時の容器本体の前面壁１２と蓋体の前面壁２２の関係を示す部分端面図であり、ラップフィルム収納容器１の容器本体の前面壁１２、ラップフィルム１５、蓋体の前面壁２２、ベロ部２３、カッター２４、粘着層２３、それぞれの位置を示している。
【符号の説明】
【００３８】
１    ラップフィルム収納容器
１１  容器本体
１２  容器本体の前面壁
１３  容器本体の後面壁
１４  紙管
１５  ラップフィルム
２１  蓋体
２２  蓋体の前面壁
２３  ベロ部
２４  カッター
２５  開封片
２６  粘着層
２７  ミシン目
【図１】
2018104022.tif 000003
【図２】
2018104022.tif 000004
【図３】
2018104022.tif 000005
【図４】
2018104022.tif 000006
【図５】
2018104022.tif 000007
【図６】
2018104022.tif 000008
【図７】
2018104022.tif 000009
【手続補正書】
【提出日】平成29年5月22日(2017.5.22)
【手続補正１】
【補正対象書類名】特許請求の範囲
【補正対象項目名】全文
【補正方法】変更
【補正の内容】
【特許請求の範囲】
【請求項１】
ロール状に巻かれているラップフィルムを収納する容器本体と、該容器本体の後面壁の頂縁から回動可能に連設されている蓋体とを備えるラップフィルム収納容器において、
前記蓋体が閉蓋状態において、前記蓋体の前面壁の裏面が、前記容器本体の前面壁の表面と重なり合うように構成されており、
前記蓋体の前面壁の先端縁部全部に、ラップフィルムを切断するためのカッターが取り付けられ、
更に、前記蓋体の前面壁の先端縁部には、前記カッターよりも先端側に延出したベロ部が部分的に少なくとも一つ設けられていて、
前記ベロ部は、前記ラップフィルムを接着及び剥離が可能な接着剤を、前記ベロ部の裏面側に塗布したことを特徴とするラップフィルム収納容器。
【請求項２】
請求項１に記載のラップフィルム収納容器において、使用開始前にあっては、前記カッターの刃が露出するのを防ぐために開封片が備わっており、前記開封片は、前記蓋体の前面壁の先端縁部と前記ベロ部が隣接して連設されており、使用時には、前記開封片が除去されるように構成されていることを特徴とするラップフィルム収納容器。
【手続補正２】
【補正対象書類名】明細書
【補正対象項目名】０００９
【補正方法】変更
【補正の内容】
【０００９】
請求項１に記載した発明は、ロール状に巻かれているラップフィルムを収納する容器本体と、容器本体の後面壁の頂縁から回動可能に連設されている蓋体とを備えるラップフィルム収納容器において、蓋体が閉蓋状態において、蓋体の前面壁の裏面が、容器本体の前面壁の表面と重なり合うように構成されており、蓋体の前面壁の先端縁部全部に、ラップフィルムを切断するためのカッターが取り付けられ、更に、蓋体の前面壁の先端縁部には、カッターよりも先端側に延出したベロ部が部分的に少なくとも一つ設けられていて、ベロ部は、ラップフィルムを接着及び剥離が可能な接着剤を、ベロ部の裏面側に塗布したことを特徴とするラップフィルム収納容器である。